(57)【要約】  本発明は前後身頃部と、該前後身頃部から肩峰を越えて腕側に延在する袖部とを有する本体部と、着用者の背部側の肩と上腕との境界部分に跨がる三角筋に当たる左右の部位に、左右一対に分断して配置された第一緊迫部とを備え、前記前後身頃部および袖部の上腕部は、前記本体部の素材と、該本体部よりも伸びの小さい前記第一緊迫部の素材との、少なくとも２種類の伸びが相違する伸縮素材で形成されている衣類に関する。  本発明により、日常的に着用できる衣類において、締付感なく胸郭を開くように誘導でき、身体機能を向上できる衣類が提供される。
2010050540.tif 000002
【特許請求の範囲】
【請求項１】
前後身頃部と該前後身頃部から肩峰を越えて腕側に延在する袖部とを有する本体部と、
着用者の背部側の肩と上腕との境界部分に跨がる三角筋に当たる左右の部位に左右一対に分断して配置された第一緊迫部とを備え、
前記前後身頃部および袖部の上腕部は、前記本体部の素材と、該本体部よりも伸びの小さい前記第一緊迫部の素材との、少なくとも２種類の伸びの相違する素材で形成されている衣類。
【請求項２】
前記第一緊迫部が、下記（１）〜（４）から選択される手段のいずれかで形成されている請求項１に記載の衣類。
（１）前記本体部とは同一素材または別素材で形成された当て布が前記本体部の外面または内面に重ねられ、縫着または樹脂接着剤を用いて接着または熱圧着されている；
（２）前記本体部に設けられた開口に、該本体部とは別素材で形成された当て布が充填配置され、接合する端縁が縫着されている；
（３）前記本体部と同一素材または別素材で、該本体部とは編み方が変えられている；
（４）前記本体部に弾性樹脂が塗布されている。
【請求項３】
前記第一緊迫部が点群状であり、該点状群が下記（５）または（６）の手段で形成されている請求項１に記載の衣類。
（５）前記本体部と同一素材または別素材で、該本体部とは編み方が変えられている；
（６）前記本体部に弾性樹脂が塗布されている。
【請求項４】
前記第一緊迫部の３０％伸長時における収縮力が、前記本体部の３０％伸長時における収縮力の２倍以上１０倍以下である請求項１〜３のいずれかに記載の衣類。
【請求項５】
前記左右に配置される各第一緊迫部の面積が１０ｃｍ2〜３００ｃｍ2であり、これらの第一緊迫部が、左右それぞれ１個または左右それぞれ分割した複数個からなる請求項１〜４のいずれかに記載の衣類。
【請求項６】
肩峰を挟んで肩領域と袖領域との間に跨がって配置される前記左右の各第一緊迫部の形状が、上部が肩領域側と袖領域側に分岐すると共に下部の左右両側縁が下端中央に向けて収険する形状である請求項１〜５のいずれかに記載の衣類。
【請求項７】
前記袖部の背部側が、ラグラン袖として後身頃部と逢着され、該ラグラン袖に前記第一緊迫部が設けられている請求項１〜６のいずれかに記載の衣類。
【請求項８】
前記袖部が半袖または長袖であり、袖部の前部が肩ぐりに沿って前身頃と縫着する袖またはラグラン袖である請求項１〜７のいずれかに記載の衣類。
【請求項９】
前記袖部分が長袖であり、手首から肘にかける前腕部に、手首の内側から肘の外側に向けて総指筋を斜行する腕疲労軽減用の帯状の第二緊迫部が設けられている請求項１〜８のいずれかに記載の衣類。
【請求項１０】
前記第二緊迫部が、それぞれ幅３ｃｍ〜１０ｃｍである請求項９に記載の衣類。
【請求項１１】
アンダーシャツ、スポーツ用およびリハビリ用を含むアウター用上衣、水着、レオタードのいずれかである請求項１〜１０のいずれかに記載の衣類。
【請求項１２】
前記前後身頃部が、少なくとも大腿部に達する下半身部を連続して備え、または、繋ぎ部を介して着脱自在に下半身部を連結し、
前記下半身部の本体部が伸縮性素材で形成され、
前記下半身部が、ウエスト部に沿った帯状の第三緊迫部と、該第三緊迫部の背部中央に連続して仙骨と対応する位置まで配置される臀部中央押さえ用の第四緊迫部と、背部側で大腿部の付け根の股関節に沿って配置される帯状の第五緊迫部とを備えている請求項１〜１０のいずれかに記載の衣類。
【請求項１３】
前記下半身部の前部に、前記第五緊迫部に連続して前部側の股関節に沿って前部中央の下腹部に向けて上向きに斜行した後に後方に向けて上向きに斜行する前記第三緊迫部に連続する第六緊迫部と、左右両側の前記第六緊迫部の前端縁に挟まれた前部中央の下腹部に前記第三緊迫部に連続して配置され下端位置がウエストラインから股部に達する長さの中間位置までである第七緊迫部とが設けられている請求項１２に記載の衣類。
【請求項１４】
前記第七緊迫部の前記下端位置が、男性用衣類の場合は、膨出する局部に達する直前位置である請求項１３に記載の衣類。
【請求項１５】
トップ衣類とボトム衣類とを備えた上下セットの衣類からなり、
前記トップ衣類は、前後身頃部と該前後身頃部から肩峰を越えて腕側に延在する袖部とを有する本体部と、着用者の背部側の肩と上腕との境界部分に跨がる三角筋に当たる左右の部位に左右一対に分断して配置された第一緊迫部とを備え、
前記前後身頃部および袖部の上腕部は、前記本体部の素材と、該本体部よりも伸びの小さい前記第一緊迫部の素材との、少なくとも２種類の伸びが相違する伸縮性素材で形成されており、
前記ボトム衣類は、少なくとも大腿部に達する下半身部を備え、
前記下半身部の本体部は伸縮性素材で形成され、
前記下半身部は、仙骨と対応する位置に配置される臀部中央押さえ用の第四緊迫部と、背部側の大腿部の付け根の股関節に沿って帯状に配置される第五緊迫部とを備え、
前記第四緊迫部および第五緊迫部は前記下半身部の本体部より伸びが小さい衣類。
【発明の詳細な説明】
【技術分野】
【０００１】
本発明は衣類に関し、特に、着用するだけで胸を開き背筋が伸びた姿勢を保持でき、身体機能を向上させることができる衣類に関し、特に、アンダーシャツとして好適に用いられるものである。
【背景技術】
【０００２】
従来、姿勢矯正用や、運動時や歩行時に筋肉の動きをサポートして支援するインナーウエアが多種類提供されている。【０００３】
例えば、特開２００６−３２０６４０号公報（特許文献１）の姿勢矯正用衣料では、図１８に示すように、背中側の後面において、首側の上部と下部に左右水平方向に偏在する張力部１００、１０１と、これら上下張力部１００と１０１との中央を連結する張力部１０２とからなるアルファベットのＨを横向きにした形状の張力部を本体身頃１０５の内面に取りつけている。該張力部１００〜１０２で着用者の左右肩甲骨を囲むことにより、左右肩甲骨が背面側で左右方向内側に引き寄せて肩関節の可動範囲を広げて起立姿勢をよくして、脊柱起立筋を支えると、記載されている。【０００４】
さらに、張力部は袖ぐりを跨いだ位置に設けず、三角筋の動きを妨げないようにし、腕関節の可動領域を広げている。【０００５】
また、特開２００４−４４０７０号公報（特許文献２）のアンダーシャツは投球時や打撃時に肩や腕の動きを積極的に向上させる機能を持たせるものとしている。該アンダーシャツでは、緊締力を３段階に相違させた第１〜第３の３種類のストレッチ素材で形成し、緊締力は、第１の素材＜第２の素材＜第３の素材としている。【０００６】
図１９に示すように、第２の素材は本体部の素材であり、本体部の素材より緊締力の弱い第１の素材で上腕三角筋の当たる部分から肘側へと延在する領域１１０を設け、該腕側の領域１１０に連続し三角筋内側部から肩甲骨に広がる左右一対の大面積の領域１１１を緊締力を強くした第３の素材で形成している。【０００７】
その他に、特開平９−２５００８号公報（特許文献３）、特開２００４−２６３３６２号公報（特許文献４）等においても高緊締力部を設ける衣料が提案されているが、いずれも帯状とした高緊締力部を背面を左右横断させて腕へと延在させた構成とされている。
【先行技術文献】
【特許文献】
【０００８】
【特許文献１】特開２００６−３２０６４０号公報
【特許文献２】特開２００４−４４０７０号公報
【特許文献３】特開平９−２５００８号公報
【特許文献４】特開２００４−２６３３６２号公報
【発明の概要】
【発明が解決しようとする課題】
【０００９】
しかしながら、特許文献１の姿勢矯正用衣料ように、背中の上側領域の全域に前記張力部１００〜１０２よりなる張力部を設けると、背中の上側領域全体の締付感が強くなる。締付感が強くなると、胸を張って左右肩甲乙を広げる姿勢とは逆に、着用者は背中を丸めて締付感を和らげる姿勢を取りやすくなり、その場合、さらに、締付感が増す恐れもある。【００１０】
さらに、肩関節の可動範囲を広げるために、張力部は肩から袖へと股がらせず、三角筋の動きを妨げないようにしているが、疲労時等に腕が前のめりの状態となると、三角筋が内転すると、肩関節との間に張力部が無いことより、左右肩甲骨が三角筋に引っ張られて左右広く方向となりやすい。この場合、前記張力部により左右肩甲骨を互いに引き寄せる力を強くしないと、左右肩甲骨を開いて姿勢を良くすることは困難となる。しかしながら、姿勢を良くするために張力部の力を強めると、前記した背中の上部領域での締付感がさらに強まる恐れがある。【００１１】
また、特許文献２のアンダーシャツは打球時や打撃時には肩や腕の動きを積極的に支援する機能を有するものであるが、緊締力の強い大面積の領域１１１が背中の上部領域の中央背筋部分を除く領域に広がっているため、前記特許文献１と同様に背中側の締付感が強く、日常的に着用できるものではない。かつ、緊締力の弱い背中中央部を挟んで左右両側に、肩甲骨に当たる大面積の領域１１１を設けているため、着用者は背中の左右両側に強い力が負荷された感じとなり、緊締力の弱い中央部を挟んで左右肩甲骨が内転しやくなると認められる。【００１２】
また、特許文献３や特許文献４の衣料のように、高緊締力部を背中を横断させて配置すると、前記特許文献１、２と同様に、背中側の締付感が強くなり、日常的に着用できるアンダーウエアとしては快適性が損なわれる問題がある。【００１３】
このように、従来提供されている運動支援用や姿勢矯正用の機能性を有する衣類は、背面側に配置する緊締力を大きくした部分は、背中の上側領域に大面積で設け、あるいは、背中を横断するようにテーピングして設けているため、背中側の締付感、圧迫感が強く、日常的に長期に着用すると違和感が発生する。よって、運動時等に限らず、身体機能を高めるために日常的に着用する衣類としては改善の余地がある。【００１４】
本発明は、締付感がなくフィット性を良くして日常的に着用できる衣類において、着用により、着座姿勢、立位姿勢、歩行姿勢の日常的動作時に身体機能の向上を図ることができる衣類を提供することを課題としている。【００１５】
具体的には、着用により肩甲骨の内転を増大して肩の後方化を維持し、胸郭拡大の誘導および背筋を伸ばした姿勢とでき、それに基づいて心拍数および呼吸数の減少を図って、身体機能を向上させることができる衣類を提供することを課題としている。
【課題を解決するための手段】
【００１６】
前記課題を解決するため、第一の発明として、
前後身頃部と該前後身頃部から肩峰を越えて腕側に延在する袖部とを有する本体部と、
着用者の背部側の肩と上腕との境界部分に跨がる三角筋に当たる左右の部位に、左右一対に分断して配置された第一緊迫部とを備え、
前記前後身頃部および袖部の上腕部は、前記本体部の素材と、該本体部よりも伸びの小さい前記第一緊迫部の素材との、少なくとも２種類の伸びの相違する素材で形成されている衣類を提供している。このようにすることで、第一緊迫部を他の部位よりも強く三角筋に接触させている。【００１７】
ここで、前後身頃部と袖部とは別体であってもよく、一体的に本体部を構成していてもよい。【００１８】
前記のように、本発明の衣類は、左右の肩と上腕の三角筋に当たる部分以外は、本体部で形成し、背中には大面積の高緊迫部や背中を横断する高緊迫部を設けていない。また、これにより、背中側の締付感や圧迫感を無くしている。本体部は伸縮性がよく、かつ、好ましくは薄い素材で形成すると、着用者の身体にフィットさせて着用者に違和感を発生させないものとしているため、日常的に着用できる衣類となる。【００１９】
一方、着用者の背部三角筋に相当する部位には、他の部位よりも伸び率が小さい緊迫部を配置し、他の部位よりも着用者の背部三角筋に強く当たり、刺激するようにしている。これにより、着用者は背部三角筋を常に意識でき、左右の肩甲骨が互いに近接する内転方向へと誘導でき、左右の肩が後方へと拡がるように誘導できる。【００２０】
また、第一緊迫部は、点群状にすることにより緊迫力を適度に分散させることができる。【００２１】
前記背部三角筋は、衣類側では前後身頃部と袖部との境界位置（肩峰）を挟んで肩領域と袖領域との間に跨がる部位に当たる。【００２２】
通常、疲労時や緊張時には、前のめりの猫背姿勢となって、左右肩甲骨が前側に曲がって胸郭が狭くなりやすい傾向にある。その場合、前記のように、背部三角巾を常に刺激することにより、前のめりの猫背姿勢にならないように、着用者に意識付けすることができる。【００２３】
さらに、左右肩甲骨が前側へ曲がろうとしても、左右肩甲骨に連続する三角筋に当たる部位に伸びの小さい第一緊迫部を配置しているため、該左右肩甲骨の動きに追従せず、左右肩甲骨を互いに近接させる内転方向に誘導し、左右肩甲骨を後方へ引っ張るように作用し、胸郭を拡大する方向に助成できる。【００２４】
また、疲労時や緊張時以外の着座姿勢、立位姿勢、歩行時等の日常的動作において、第一緊迫部により左右肩甲骨を後方へと誘導し、胸郭の拡大を図ることにより、常に、背筋が伸びた良い姿勢になるように保持できる。【００２５】
胸郭を拡大させて背筋を延ばした姿勢となると、着座時、立位時、歩行時に、心拍数の増加を防止、さらに低減を図れる。【００２６】
同様に、呼吸数に関しても、前記日常的な挙動時に、呼吸数の増加を防止し、さらに低減を図れる。【００２７】
前記心拍数および呼吸数に関しては、緊張状態では息が浅くなったり、息が詰まった状態になりやすく、心拍数および呼吸数が増加する。また、急に立ち上がったり、歩行時にも心拍数および呼吸数が次第に増加し、息が上がった状態となり、歩行を継続ができなくなる場合がある。【００２８】
このような場合、前記のように、本発明の衣類を着用すると、心拍数および呼吸数の増加の抑制、低減を図り、身体機能を高めることができる。【００２９】
よって、本発明の衣類を着用すると、緊張感を緩和して、リラックスした安定した状態とし、心身ともにスッキリとした状態とすることができる。その結果、仕事時に着用すると、ポジティプに効率よく仕事を持続することができる。【００３０】
さらに、近時は健康増進のために歩行が奨励されており、歩行や運動の長期継続も無理なく行える。また、実際に歩幅や歩行速度も増加することを確認している。【００３１】
さらに、胸郭が拡大され、胸を開いた状態になると、左右の肩から肘にかけた上腕も前側から体側位置へと誘導される。【００３２】
このように、胸を開き、背筋を伸ばし、左右の手が体側位置となる姿勢は、着座時および立位時に、外観上において、正しい姿勢となり、好ましい印象を与えることができる。      【００３３】
かつ、歩行時には、左右の肩が後方へ誘導されることより、左右の手も後方へ大きく振ることが出来、歩行姿も颯爽とした好ましい印象を与えることができる。【００３４】
前記本体部より伸びを小さくした第一緊迫部は、下記（１）〜（４）のいずれかから構成されることが好ましい。
（１）前記本体部とは同一素材または別素材で形成された当て布が前記本体部の外面または内面に重ねられ、縫着または樹脂接着剤を用いて接着または熱圧着されている。
（２）前記本体部に設けた開口に、該本体部とは別素材で形成された当て布が充填配置され、接合する端縁が縫着されている。
（３）前記本体部と同一素材または別素材で、該本体部とは編み方が変えられている。
（４）前記本体部に弾性樹脂が塗布されている。【００３５】
伸びの良い本体部の素材は、主素材として、ポリエステル、ポリアミド等の合成繊維、レーヨン、綿等のセルロース繊維、ウール、絹等の天然繊維が適宜に用いられる。これら素材は交編、挿入、引き揃え等により混合して用いてもよい。また、本体部の素材に伸縮性を与えるために、伸縮素材を混合することが好ましい。該伸縮素材としては、ポリウレタン弾性繊維、ポリエステルエラストマー繊維、ＰＴＴ系複合加工糸（ポリトリメチレンテレフタレートを主成分とするサイドバイサイドのバイメタル糸）等の適宜に使用される。【００３６】
さらに、本体部の素材は薄くして軽量化すると、着用者に負担を与えず、着心地を高めることができる。具体的には、目付量が１００〜２００ｇ／ｍ2が好ましい。これは１００ｇ／ｍ2未満であると本体部は透けやすいと共に破れやすくなり、２００ｇ／ｍ2を越えると厚く且つ重くなり、着用時に重量感やゴアつきが発生し、快適性を損なうことによる。本体部の目付量は、より好ましくは１２０〜１７０ｇ／ｍ2である。【００３７】
前記（１）〜（４）の手法を用いて、第一緊迫部を本体部より伸びを小さくしている。      【００３８】
前記（１）の当て布を用いて本体部と重ねる場合には、当て布は本体部の素材と同一としても緊迫力を高めることができ、かつ、当て布を本体部よりも伸びの小さい素材を用いて本体部と重ねると緊迫力を強めることができる。【００３９】
樹脂接着剤を用いて当て布を本体部と接着する場合には、該樹脂接着剤として、熱可塑性のホットメルト樹脂が好適に用いられ、ポリウレタン系、ポリエステル系、ポリオレフィン系、スチレン系等のホットメルト樹脂が挙げられる。【００４０】
該樹脂接着剤の塗布方法は本体部の生地のゴアつきを防止し、該生地との張り合わせ部の通気性を確保するために、一面に塗布するのではなく、ドット状に塗布することが好ましい。【００４１】
前記（２）の本体部に設けた開口に別素材で形成した当て布を充填配置し、接合する縁を逢着する場合、当て布として本体部よりも伸びの小さい素材を用いることで緊迫力を強めることができる。【００４２】
前記（３）の本体部と同一素材または別素材で、本体部とは編み方を変える場合、編み方を変えた分部の伸びを本体部より小さくし、高い緊迫力を付与する。【００４３】
前記編み方を変える手段としては、例えば、緊迫部はループ長さを小さくするか、ループの変形を抑制するためにシンカーループの本数を単位面積中に多くする編み方を採用することが好ましい。【００４４】
また、本体部と緊迫部は編み糸を変え、緊迫部では伸びの小さい編み糸、あるいは、熱溶融性糸を用い編成後に加熱して一体的に硬化してもよい。【００４５】
また、第一緊迫部が点群状になるように編み方や編み糸を変えることは、緊迫力を適度に分散することができより好ましい。【００４６】
前記（４）の本体部に弾性樹脂を塗布して高い緊迫力を付与する場合、使用する弾性樹脂としては、シリコーン、ウレタン、アクリル、ナイロン等が挙げられる。本体部の生地への浸透性や塗布強度を高めるために、必要に応じて、架橋剤や浸透剤を前記弾性樹脂に配合してもよい。【００４７】
塗布方法としては、スプレー、転写、スクリーン捺染、ロータリ捺染方法が適宜採用できる。【００４８】
塗布形態は、緊迫力を付与する範囲内を一面に塗布する形態（面状塗布）、ストライプ状に塗布する形態（線状塗布）、ドット状に塗布する形態（点群状塗布）等のパターンが適宜使用できる。中でも点群状にすることで、緊迫力を適度に分散することができより好ましい。また塗布形態は、異なる種類のパターンが混在していてもよく、異なる大きさのパターンが混在していてもよい。【００４９】
前記本体部の生地は伸縮性を有するニット素材が好適に用いられる。ニット素材には経編素材と丸編素材とがあり、伸びが良ければいずれでもよい。【００５０】
前記のように、第一緊迫部は本体部よりも伸びを小さくしている。具体的には、第一緊迫部の３０％伸長時における収縮力を、本体部の３０％伸長時における収縮力の２倍以上１０倍以下とすることが好ましい。より好ましくは３倍以上８倍以下である。【００５１】
本発明では前記収縮力を以下の方法で測定している。最も伸びやすい方向をＡ方向、該Ａ方向と垂直方向をＢ方向とする。本体部と第一緊迫部とをそれぞれＡ方向と平行に長さ１６センチ、Ａ方向と垂直方向（Ｂ方向）に幅２．５センチの長方形のサンプルを採取する。これらサンプルをＪＩＳ  Ｌ  １０１８のカットストリップ法に基づいて、つかみ間隔１０センチで長方形の短辺の両端をつかみ、引っ張り試験機で０〜８０％伸縮処理を３回繰り返し、３回目のアンロード時の３０％伸長時点の回復力、即ち、収縮力を測定する。【００５２】
なお、緊迫部が前記（１）の当て布を本体部に重ねて形成されている場合には、緊迫部のサンプルとは、本体部を形成する素材と宛て布とが重ねられた状態のものであり、当て布単体ではない。【００５３】
前記方法で測定されたＡ方向、Ｂ方向のいずれにおいても、第一緊迫部の収縮力が本体部の収縮力の２倍以上１０倍以下であることが好ましい。これは、２倍未満であると、緊迫部としての筋肉に与える刺激が不足する場合があり、１０倍を越えると筋肉への刺激が強すぎて不快感を与える場合があるからである。【００５４】
前記左右に配置される各第一緊迫部の面積は１０ｃｍ2〜３００ｃｍ2であることが好ましい。より好ましくは３０ｃｍ2〜１００ｃｍ2である。１０ｃｍ2未満であると左右の肩三角筋を刺激する接触圧が少ない場合がある。３００ｃｍ2を越えると肩に圧迫感が生じる場合がある。【００５５】
また、左右の第一緊迫部は、左右それぞれ１個とすることが好ましいが、左右それぞれ分割した複数個から形成してもよい。【００５６】
前記左右の各１個の第一緊迫部の形状は、肩峰を挟んで背中側へ広がる肩領域と腕側へ広がる袖領域に分けたとき、上部が肩領域側と袖領域側に分岐すると共に下部の左右両側縁が下端中央に向けて収険する形状としていることが好ましい。【００５７】
前記のように、上部形状を肩領域と袖領域とに分岐させた形状とすると、腕の動きを抑制せず、かつ、下部を連続させることにより第一緊迫部による負荷を分散させずに作用させることができる。【００５８】
前記袖部の背部側はラグラン袖として後身頃部と逢着し、該ラグラン袖に前記第一緊迫部を設けていることが好ましい。【００５９】
前記のように、第一緊迫部は背部の肩と袖とに跨がって配置されるため、後身頃と袖との縫着ラインが肩ぐりに沿ったセットインラインとすると、縫着ラインに第一緊迫部が跨がって位置することになり、縫製しにくくなると共に視覚的に好ましくない。かつ、ラグラン袖とし、後身頃と後袖部とをラグランラインで縫着すると、該縫着ラインで伸びが抑制でき、ラグラン袖側に位置する第一緊迫部の作用を一層高めることができる。【００６０】
前記袖部は半袖、長袖のいずれでもよく、少なくとも前記第一緊迫部を設けることができる袖部を有する形状としている。【００６１】
袖部の前側は、肩ぐりに沿って前身頃と縫着する袖、即ち、セットインラインとしてもよい。この場合、前側の外観を通常のシャツと同様な形状とでき且つすっきりとさせることができる。【００６２】
また、前部を背部と同様のラグラン袖としてもよい。【００６３】
前記袖部分を長袖とし、手首から肘にかける前腕部に、手首の内側から肘の外側に向けて総指伸筋を斜行する腕疲労軽減用の帯状の第二緊迫部を設けてもよい。該第二緊迫部は、前記本体部より伸びを小さくしている。【００６４】
該第二緊迫部は前記第一緊迫部と同一形態で設けても良いし、前記（１）〜（４）に記載した他の形態で緊迫部を設けてもよい。【００６５】
該第二緊迫部の収縮力は前記第一緊迫部と同等としてもよいし、相違させてもよいが、袖本体部よりは伸びを小さくしている。【００６６】
近時、パソコン等を長時間連続して操作する場合が多く、この場合、手指に連続する手首から肘にかけた部分に疲労が蓄積し、腕がだるくなって、作業能率が低下する傾向がある。同様に、調理人や部品組立作業員等の腕を使う作業をする場合にも、腕に疲労が蓄積しやすく、作業能率が低下する。【００６７】
前記のように、手首から肘にかける前腕部に、手首の内側から肘の外側に向けて総指伸筋を斜行する腕疲労軽減用の帯状の第二緊迫部を設けると、総指伸筋に刺激を与えることができると共に、前腕部の保持力を高め、腕の動きを助成することができる。その結果、腕の疲労を低減でき、作業能率の低下を抑制できる。【００６８】
前記第二緊迫部は、それぞれ幅３ｃｍ〜１０ｃｍとしていることが好ましい。より好ましくは４ｃｍ〜５ｃｍの範囲である。３ｃｍ未満であると疲労低減効果が少ない場合がある。１０ｃｍを越えると締付感が発生する場合がある。【００６９】
前記衣類は上衣とし、アンダーシャツ、スポーツ用およびリハビリ用を含むアウター用上衣とすることが好ましい。さらに、水着、レオタード等にも好適に用いられる。【００７０】
さらに、本発明の衣類は、トップ側の上衣に限定されず、前記前後身頃部は、少なくとも大腿部に達する下半身部を連続して備え、または、繋ぎ部を介して着脱自在に下半身部を連結させてもよい。【００７１】
前記下半身部の本体部は伸縮性素材で形成されていることが好ましい。【００７２】
前記下半身部は、ウエスト部に沿った帯状の第三緊迫部と、前記第三緊迫部の背部中央に連続して仙骨と対応する位置まで配置する臀部中央押さえ用の第四緊迫部と、背部側の大腿部の付け根の股関節に沿って配置する帯状の第五緊迫部とを備えていることが好ましい。【００７３】
前記第三〜第五緊迫部は、前記第一緊迫部と同様な形態で伸びを小さくし、収縮力を高めても良いし、前記（１）〜（４）に記載の他の形態で伸びを小さくしてもよい。【００７４】
かつ、該第三〜第五緊迫部の収縮力は前記第一緊迫部と同等としてもよいし、相違させてもよいが、本体部よりは伸びを小さくしている。【００７５】
前記のように、下半身部は上半身部と本体部を連続させて一体的に設けてもよく、あるいは繋ぎ片を連結してもよい。その場合は、股部で開閉できるようにしてもよい。【００７６】
さらに、上半身部と下半身部とは、ボタン、ファスナー等で着脱自在に連結できるようにしてもよい。【００７７】
前記した下半身部を設け、該下半身部の仙骨に相当する部位、即ち、臀裂の直前位置に前記第四緊迫部を設けると、仙骨に当たる位置は臀部中央に位置するため、該臀部中央を他の部位よりも強く当たり、しっかりと押さえるように作用するため、下半身の重心位置を安定させることができる。【００７８】
通常、疲労が蓄積すると、上半身が前方傾斜し、下半身が後方傾斜する姿勢となりやすい。其の際、前記第三緊迫部で、臀部中央を後方より押さえるため、臀部が後方寄りとなって、立位姿勢で前傾斜するのを抑制できる。その結果、真っすぐな姿勢となって、重心位置が上がり、ウエスト位置を高くすることもできる。特に、立姿勢および歩行姿勢を前記トップ側の背筋を伸ばす作用との相乗で真っすぐな姿勢となるように助成できる。【００７９】
また、ウエスト部に沿った帯状の第三緊迫部を設けることにより、上下中心位置でしっかりを体を保持できる。該第三緊迫部で上半身と下半身の境界位置をしっかりと保持し、かつ、下半身部で仙骨を押す力で下半身が垂直状態に誘導し、前記第一緊迫部で胸を開き、背筋を伸ばすことと併せて、立位姿勢が真っすぐとでき、好ましい外観を呈することができる。【００８０】
さらに、背部の股関節に沿って設ける第五緊迫部は、大腿部の付け根の背部側に股部の両側から下腹部側に向けて延在し、股関節をサポートする。該第五緊迫部により、歩行時に身体にブレを生じさせずにバランスよく歩行できるようにし、かつ、歩行時に大腿部を前方へと押し出し、歩行中の脚の動きを助成して歩幅を大きくできる。【００８１】
さらに、上半身側では、前記のように、第一緊迫部で左右の手の後方への振りを大きくできることと併せて、歩行時の脚の動きを大きくすることでき、正しい歩行姿勢で、颯爽とした歩行を現出できる。【００８２】
さらに、前記下半身部の前部の下腹部には、前記第五緊迫部に連続して前部側の股関節に沿って前部中央に向けて上向きに斜行させた後に後方に向けて上向きに斜行させ前記第三緊迫部に連続させる第六緊迫部と、左右両側の前記第六緊迫部の前端縁に挟まれた前部中央の下腹部に前記第三緊迫部に連続して配置し下端位置がウエストラインから股部に達する長さの中間位置までとした第七緊迫部とを設けていることが好ましい。【００８３】
これらの第六、第七緊迫部も他の第一〜第五緊迫部と同様に、本体部より伸びを小さくしており、前記（１）〜（４）のいずれかの形態で形成されている。【００８４】
前記のように、背部側の大腿部の付け根の股関節に沿った第五緊迫部に連続させて前部側の股関節に沿った第六緊迫部を設けると、歩行時に大腿部の動きをサポートすることができる。【００８５】
なお、前部の大腿部付け根より下方に緊迫部を配置すると、歩行時に脚の前方への動きを抑制する力が発生しがちであるが、本発明では、脚の前方への動きの支点となる大腿部の後方の股間接をしっかりと押さえる一方、大腿部全体は押さえていないため、大腿部には負担をかけない。かつ、背部側から下腹部側にかける大腿部の付け根回りに股関節に沿って帯状の前記第四、第五緊迫部を設けているため、歩行時にブレを発生させずに、歩行を助成できる。【００８６】
さらに、該第六緊迫部と前記第七緊迫部とで前部側の下腹部に当たる部分の全体を高い緊迫力を有するものとすると、下腹部に力を入りやすくでき、下半身の前後でしっかりと安定した状態を創出できる。よって、通勤や外出時にしっかり且つすっきりとした姿勢として、疲れを引きずらないようにできる。【００８７】
前記第七緊迫部の前記下端位置は、男性用衣類の場合は、膨出する局部に達する直前位置とし、締付感や違和感を生じないものとしている。【００８８】
第二の発明として、上半身部からなるトップ衣類と、下半身部からなるボトム衣類とを上下セットとした衣類を提供している。【００８９】
前記トップ衣類は第一の発明の上半身部に相当し、ボトム衣類は第一の発明の下半身部に相当し、これらを別体として設け、セットで着用できるようにしている。【００９０】
即ち、前記トップ衣類は、前後身頃部と該前後身頃部から肩峰を越えて腕側に延在する袖部を一体的または別体として備えた本体部と、着用者の背部側の肩と上腕との境界部分に跨がる三角筋に当たる左右の部位に左右一対に分断して配置された第一緊迫部とを備えている。そして、前記前後身頃部および袖部の上腕部は、前記本体部の素材と、該本体部よりも伸びの小さい前記第一緊迫部の素材との、少なくとも２種類の伸びが相違する伸縮性素材で形成されている。【００９１】
前記ボトム衣類は、少なくとも大腿部に達する下半身部を備え、該下半身部の本体部は伸縮性素材で形成されている。そして、前記下半身部は、仙骨と対応する位置に配置し臀部中央押さえ部とからなる第四緊迫部と、背部側の大腿部の付け根の股関節に沿って帯状に配置する第五緊迫部とを備えている。前記第四緊迫部および第五緊迫部は本体部より伸びを小さくしている。【００９２】
該トップ衣類とボトム衣類とをセットで着用すると、上半身側と下半身側との両方の疲労を低減でき、心身ともにすっきりとさせることができる。【００９３】
かつ、前記のように、トップ衣類で胸を開き、背筋を伸ばし、ボトム衣類で臀部中央を押さえると共に股関節を押さえるため、立位置姿勢を真っすぐな正しい姿勢にでき、かつ、歩行時には歩幅を大きくできると共に、手の後方への振りを大きくして、正しい歩行姿勢に助成できる。加えて、歩幅や歩行速度も増加させることができる。
【発明の効果】
【００９４】
第一の発明の衣類によれば、左右の肩三角筋に当たる部位に第一緊迫部を分断して設け、着用者の肩三角筋に刺激を与え意識させ、背中側に締付感を発生させることなく、左右の肩甲骨を後方へ開くように誘導でき、背筋を伸ばすことができる。その結果、心拍数および呼吸数の増加抑制、さらには低減を図り、着用しているだけで、身体機能を高めることができる。また、歩幅や歩行速度を増加させることができる。【００９５】
また、第二の発明のセット衣類によれば、ボトム衣類で下半身の重心を安定させることができるため、トップ衣類と併せると、歩行姿勢を真っすぐな正しい姿勢に誘導できる。かつ、大腿部を前側へと押し、歩行を助成しているため、歩行時に歩幅を大きくでき、かつ、トップ衣類で手の後方への振りを大きくできるため、大きな歩幅で、大きく手をふり、歩行姿勢を正しい姿勢に助成できる。
【図面の簡単な説明】
【００９６】
【図１】本発明の第１実施形態のアンダーシャツを示し、（Ａ）は背面図、（Ｂ）は正面図である。
【図２】図１（Ｂ）の要部拡大図である。
【図３】第１実施形態の変形例を示し、（Ａ）は第１変形例の要部拡大図、（Ｂ）は第１変形例の要部拡大図、（Ｃ）は第３変形例の背面図、（Ｄ）は第７変形例の背面図である。
【図４】第２実施形態の上下繋ぎ衣類を示し、（Ａ）は背面図、（Ｂ）は正面図である。
【図５】第２実施形態の変形例を示し、（Ａ）は第１変形例の要部拡大図、（Ｂ）は第２変形例の要部拡大図である。
【図６】第３実施形態を示し、（Ａ）は背面図、（Ｂ）は正面図である。
【図７】実験例において被験者につけたマーカー位置を示す図面である。
【図８】実験例における被験者の歩行姿勢を示す写真である。
【図９】（Ａ）は本発明衣類を装着した状態の姿勢を示す写真、（Ｂ）は未装着時の姿勢を示す写真である。
【図１０】（Ａ）〜（Ｃ）は実験例の三次元動作解析を説明する図である。
【図１１】（Ａ）〜（Ｃ）は実験例の歩行時における重心変化を示すグラフである。
【図１２】歩行時における呼吸数の変化を示すグラフである。
【図１３】被験者の呼吸数の変化の平均データを示すグラフである。
【図１４】実験例の心拍数のグラフである。
【図１５】全被験者の心拍数平均と運動強度の時間経過による変化を示すグラフである。
【図１６】（Ａ）〜（Ｆ）は６人の被験者の心拍数を示すグラフである。
【図１７】一人の被験者の心拍数および心拍数の揺らぎを示すグラフである。
【図１８】従来例を示す図面である。
【図１９】他の従来例を示す図面である。
【発明を実施するための形態】
【００９７】
以下、本発明の実施形態の一例を図面を参照して説明する。
図１および図２に、第一実施形態のアンダーシャツを示す。
【００９８】
図１（Ａ）（Ｂ）に示すように、第一実施形態は長袖のアンダーシャツ１である。該アンダーシャツシャツ１は、前身頃部２、後身頃部３、左右長袖部４からなる。前後身頃部２、３は少なくともウエストラインに達する長さとし、本実施形態では腹部に達する長さとしている。前後身頃部２、３および袖部４の本体部２０、３０、４０は第１伸縮素材のニット編地からなる。前記袖部４は左右それぞれ一枚布で形成し、下端縁を縫着して筒状としている。該袖部４はラグラン袖とし、前後身頃部２、３の肩側端縁と袖部４の肩側端縁とをラグランラインで縫着している。
【００９９】
図１（Ａ）の背面図および図２に示すように、ラグラン袖とした袖部４の後部（背部）の上部外面の左右の肩三角筋ＴＭに相当する位置に、それぞれ第一緊迫部５を設けている。両側の肩三角筋に分断して左右一対で配置する第一緊迫部５は、前記本体部２０、３０、４０よりも伸びの小さい第２伸縮素材で形成している。第一緊迫部５は第２伸縮素材からなる当て布５０を袖部４の本体部４０の外面に重ね、該当て布５０の周縁を本体部４０に縫着して取り付けて、第一緊迫部５を形成している。
【０１００】
このように、アンダーシャツ１は本体部２０〜４０を形成する伸びの良い第１伸縮素材と、第一緊迫部５を形成する伸びの小さい第２伸縮素材の２種類の伸縮素材で形成している。左右の肩三角筋に当たる部位に配置する第一緊迫部は、他の部位よりも強く着用者の肩三角筋に当たり、肩三角筋を刺激できるようにしている。
【０１０１】
前記左右の各第一緊迫部５は、ラグラン袖の背面側で、肩峰を挟んで肩領域と袖領域との間に跨がって位置する。各第一緊迫部５の形状は、上部が肩領域側に分岐する分岐部５ａと袖領域側に分岐する分岐部５ｂとを備え、該下部の左右両側縁５ｃ、５ｄを下端中央に向けて収険する略ハート形状としている。
【０１０２】
各第一緊迫部の面積は１０ｃｍ2〜３００ｃｍ2の範囲とし、本実施形態では略３０ｃｍ2としている。
【０１０３】
本体部と第一緊迫部の収縮力は、前記した測定方法で測定して規定している。即ち、最も伸びやすい方向をＡ方向、該Ａ方向と垂直方向をＢ方向とし、本体部と第一緊迫部とをそれぞれＡ方向と平行に長さ１６センチ、Ａ方向と垂直方向（Ｂ方向）に幅２．５センチの長方形のサンプルを採取する。サンプルを、ＪＩＳ  Ｌ  １０１８のカットストリップ法に基づいて、つかみ間隔１０センチで長方形の短辺の両端をつかみ、引っ張り試験機で０〜８０％伸縮処理を３回繰り返し、３回目のアンロード時の３０％伸長時点の回復力を“ＵＰ３０”として算定している。
【０１０４】
本実施形態では、本体部２０〜４０の生地を丸編地から形成し、最も伸びやすい方向Ａを横方向とし、第一緊迫部５の生地を経編地から形成し、最も伸びやすい方向Ａを縦方向としている。
【０１０５】
前記本体部２０〜４０のＡ方向のＵＰ３０は５０ｃＮ、第一緊迫部５のＡ方向のＵＰ３０は１４５ｃＮとしている。前記本体部２０〜４０のＢ方向は縦方向となり、第一緊迫部５のＢ方向は横方向となり、本体部２０〜４０のＢ方向のＵＰ３０は５５ｃＮ、第一緊迫部５のＢ方向のＵＰ３０は１５１ｃＮとしている。即ち、縦方向および横方向のいずれの方向においても第一緊迫部は本体部より３倍の収縮力を持たせ、伸びを小さくしている。      
【０１０６】
なお、第一緊迫部の収縮力は本体部の３倍に限定されず、８倍、さらには１０倍程度まで強くしてもよい。
【０１０７】
また、本体部２０、３０、４０は厚さを薄くしている。具体的には、目付量を１００〜２００ｇ／ｍ2としている。
【０１０８】
左右の袖部４では、手首から肘にかける前腕部に、手首側端の内側から肘の外側に向けて総指筋を斜行する腕疲労軽減用の帯状の第二緊迫部６を設けている。該第二緊迫部６は、第一緊迫部５と同一の第２伸縮素材からなる当て布６０で形成し、本体部４０の外面に重ねて周縁を縫着している。該第二緊迫部６の幅Ｗ１は３ｃｍ〜１０ｃｍの範囲とし、本実施形態では４．５ｍｍ幅としている。なお、袖部４を長袖とした場合においても、第二緊迫部６を設けない場合もある。
【０１０９】
前記構成としたアンダーシャツ１では、本体部２０、３０、４０は伸びの良く且つ薄い第１伸縮性素材から形成しているため、着用者の身体に全体的にフィットさせることができ、締付感を持たせず着用感に違和感を発生させない。
【０１１０】
また、背部側では、肩三角筋に第一緊迫部５が強く接触するため、着用者は肩三角筋を常に意識でき、疲労時や緊張時に、左右肩甲骨が前方傾斜する姿勢にならないように、左右肩甲骨が互いに近接する内転し左右の肩を後方へと広げるように誘導できる。かつ、左右肩甲骨が前方傾斜して猫背の姿勢になろうとしても、左右の第一緊迫部５は左右肩甲骨の前方傾斜に追従せず、左右肩甲骨を後方へ引っ張る方向の力が作用し、胸郭を拡大し、背筋を真っすぐに伸ばす方向に誘導できる。かつ、左右の手の位置も上腕および肘を後ろ側へと誘導でき、身体の側部に沿って位置させることができ、胸郭が拡大し背筋を伸ばしたすっきりとした状態に上半身を保持できる。
【０１１１】
その結果、後述する実験例に示すように、心拍数、呼吸数の増加を抑制でき、さらには低減できる。かつ、背筋を伸ばし、頭部を脊柱に沿った垂直位置に保持して、全体とし前のめり姿勢にならず、真っすぐな姿勢となるように誘導できる。
【０１１２】
さらに、袖部４では第二緊迫部６は総指伸筋を斜行するように設けているため、総指伸筋に刺激を与えることができると共に、前腕部の保持力を高めることができる。その結果、腕の疲労を低減でき、作業能率の低下を抑制できる。
【０１１３】
図３（Ａ）に第１実施形態の第１変形例を示す。該第１変形例では、左右の肩三角筋に当たる部位に設ける左右の第一緊迫部５を、背部側部５−Ａと肩側部５−Ｂに隙間をあけて分断している。このように、第一緊迫部５を２個の構成要素から形成しても、肩三角筋を刺激できれば、第１実施形態と同様の作用効果を付与できる。
【０１１４】
図３（Ｂ）に第１実施形態の第２変形例を示す。該第２変形例では、前身頃部２と袖部４との縫着ラインは腕ぐりに沿ったセットインラインとし、後身頃部３と袖部４との縫着ラインは前記と同じラグランラインとしている。即ち、前部側には第一緊迫部を取り付けないため、一般的なセットインラインとして、前側の外観を一般的なアンダーシャツの形状としている。
【０１１５】
図３（Ｃ）に第１実施形態の第３変形例を示す。該第３変形例は袖部４−Ａを半袖としているため、第一緊迫部５のみを設け、第二緊迫部６は設けていない。
【０１１６】
さらに、前記第１実施形態では第一緊迫部を当て布５０を本体部４０の外面に縫着して設けているが、本体部の内面側に取り付けてもよい。
【０１１７】
第１実施形態の第４変形例では、第一、第二緊迫部の当て布とする伸縮素材を本体部の伸縮素材と同一素材を用いている。該第一、第二緊迫部の当て布は樹脂接着剤を当て布の周縁に塗布すると共に内部領域にはドット状に塗布して、第一、第二緊迫部を本体部に固着している。
【０１１８】
前記樹脂接着剤として前述したポリウレタン系、ポリエステル系、ポリオレフィン系、スチレン系等のホットメルト樹脂を用いている。
【０１１９】
このように、第一、第二緊迫部の当て布を本体部の生地と同一としても、重ねると共に、樹脂接着剤を介在させていることにより、本体部と比較して伸びを小さく、収縮力を強めることができる。
【０１２０】
第１実施形態の第５変形例では、前記図１に示す当て布で形成した第一、第二緊迫部５、６を、当て布を用いる代わりに、袖部の本体部４０の当該部分に弾性樹脂を塗布して第一、第二緊迫部を設けている。
【０１２１】
該弾性樹脂としては、前述したように、シリコーン、ウレタン、アクリル、あるいはナイロンからなる主剤に架橋剤や浸透剤を配合し、転写により前記第一、第二緊迫部とする部分に一面に塗布している。
【０１２２】
なお、塗布方法は、転写に限らず、前述したように、スプレー、スクリーン捺染、ロータリ捺染でもよい。かつ、塗布形状は、ストライプ状に線状塗布、ドット状に点状塗布等でもよい。
【０１２３】
このように、当て布を取り付けることなく第一、第二緊迫部を設けると、第一、第二緊迫部を外観上で目立たなくすることができる。かつ、内面側に当て布を取り付けて第一、第二緊迫部を設ける場合と比較して、肌当たりを良くすることができる。
【０１２４】
第１実施形態の第６変形例も、第５変形例と同様に第一、第二緊迫部を当て布で形成せず、編み方を変えて形成している。該編み方は、前述したように、第一、第二緊迫部ではループ長さを小さくするか、ループの変形を抑制するためにシンカーループの本数を単位面積中に多くする編み方を採用している。
【０１２５】
図３（Ｄ）に第１実施形態の第７変形例を示す。該第７変形例では図３（Ｃ）の第３変形例での第一緊迫部を弾性樹脂を点群状に塗布して形成している。このように点群状に塗布することで緊迫力を適度に分散させることができる。
【０１２６】
図４（Ａ）（Ｂ）に第２実施形態の衣類を示す。
【０１２７】
第２実施形態では、第１実施形態のアンダーシャツ１と同形状の上半身を覆うトップ部１１に、ウエストラインから上脚の大腿部まで下半身部を覆うボトム部１２を連続させて設けた上下繋ぎ衣類１１としている。なお、該上下繋ぎ衣類１１は男性用衣類としているが、女性用としても良い。
【０１２８】
前記下半身部のボトム部１２の本体部２１は、前記第１伸縮素材からなる左右本体部２１ａと前部中央部２１ｂとの３枚のパターンを、背部中心と前部両側部で縫着して形成している。本体部２１の下端は大腿部の略上下中央に位置させている。
【０１２９】
該ボトム部１２には、ウエストラインＷＬの上端から約５ｃｍ幅の帯状の第三緊迫部１３を全周にかけて設けている。該第三緊迫部１３は本体部より伸びを小さくしているため、ウエストラインＷＬに沿ったゴムバンド等を設けなくともウエスト回りに強くフィットする。なお、ウエストラインＷＬに沿ってゴムバンドを取り付けてもよい。
【０１３０】
背部（臀部）側には、前記第三緊迫部１３の背部中央に連続して仙骨と対応する位置、即ち、臀裂に達する位置まで臀部中央押さえ用の第四緊迫部１４と、大腿部の付け根の股関節に沿って配置する上方傾斜する帯状の第五緊迫部１５とを設けている。
【０１３１】
ボトム部１２の前部には、前記第五緊迫部１５に連続して前部側の股関節に沿って前部中央の下腹部に向けて上向きに斜行させた後に後方に向けて上向きに斜行させ前記第三緊迫部に連続させる第六緊迫部１６と、左右両側の前記第六緊迫部１６の前端縁に挟まれた前部中央の下腹部に前記第七緊迫部１７とを設けている。
【０１３２】
前記第六、第七緊迫部１６、１７は前記ウエスト回りの第三緊迫部１３に連続させている。
【０１３３】
前記下腹部中央の前記第七緊迫部１７の下端位置Ｐｏがウエストラインから股部に達する長さの中間位置とし、膨出する局部に達する直前位置で終端させている。
【０１３４】
該第七緊迫部１７から股部頂点に達する位置までは、前部中央部２１ｂを左右に分割して、前側に膨出するように裁断および縫着している。
【０１３５】
前記第三〜第七緊迫部１３〜１７は第１実施形態の第一、第二緊迫部５、６と同一の伸びの小さい第２伸縮素材からなる当て布で形成し、本体部２１の外面に縫着している。
【０１３６】
前記臀部中央の押さえ用の第四緊迫部１４の下端位置ＰｕはウエストラインＷＬから下方へ８ｃｍ〜１６ｃｍの範囲とし、本実施形態では１１ｃｍに位置させている。かつ、左右方向の最大幅Ｗ２は４ｃｍ〜１０ｃｍとし、本実施形態では６ｃｍとしている。
【０１３７】
前記大腿部の付け根の股関節に沿って帯状に延在させる左右の第五緊迫部１５は、股部頂点ＭＰから下方に５ｃｍ〜１０ｃｍ（本実施形態では７ｃｍ）の位置から、上向き角度θを１０度〜６０度（本実施形態では４０度）で下腹部側へと傾斜させている。前記上向き角度θは、図示のように、股部との縫着ラインの垂直線に対する角度である。
【０１３８】
該第五緊迫部１５の幅Ｗ３は４ｃｍ〜１０ｃｍとし、本実施形態では６ｃｍとしている。
【０１３９】
前記第五緊迫部１５の前端に連続し、下腹部の左右に設ける前記第六緊迫部１６は前記のように、前部側の大腿部の付け根の股関節に沿って前部中央の下腹部に向けて上向きに斜行させて、下端縁を第七緊迫部１７の下端縁と連続させている。
【０１４０】
一方、上側縁は前記上向きの傾斜部の上端を後方に向けて上向きに斜行させ第三緊迫部１３に連続させている。
【０１４１】
このように、ボトム部１２に第三〜第七緊迫部１３〜１７を設け、左右の腰回りから左右の臀膨出部にかけては伸びの小さい当て布は取り付けていない。これにより、腰の動きを阻害せず、かつ、左右膨出部に負荷をかけず、臀部ラインを膨出させて、外観も良くしている。
【０１４２】
前記構成としたボトム部１２では、第四緊迫部１４で仙骨に相当する部位の臀部中央に位置するため、該臀部中央を他の部位よりも強く当たり、しっかりと押さえるように作用するため、下半身の重心位置を安定させることができる。
【０１４３】
また、ウエスト部に沿った帯状の第三緊迫部１３により、身体の上下中心位置でしっかりと体を保持し、ボトム部では第四緊迫部１４により仙骨を押す力で下半身を垂直状態に誘導し、重心位置を高くして、ウエストラインを高く保持できる。
【０１４４】
かつ、前記第一緊迫部１で胸を開き、背筋を伸ばすことと併せて、立位姿勢が真っすぐとでき、好ましい外観を呈することができる。
【０１４５】
さらに、下腹部には第六、第七緊迫部１６、１７を設けているため、下腹部をしっかりと押さえ、背部側中央に位置する第四緊迫部１４による押さえと併せて、身体の重心位置を前後から支えることにより、体幹を安定させることができる。
【０１４６】
かつ、臀裂に沿う位置には第四緊迫部１４を延在させていないため、臀部の割れ目の臀裂を明確なラインとして現出でき、見栄えを阻害しない。
【０１４７】
歩行時では、大腿部付け根の股関節に沿って第五、第六緊迫部１５、１６を設けてサポートしているため、歩行時に第五、第六緊迫部１５、１６を支点として身体にブレを発生させずに歩行を助成できる。
【０１４８】
かつ、背部側の第五緊迫部１５の存在により、大腿部を前方へ押すため、歩行時に歩幅を大きくできる。かつ、トップ側では、前記のように、第一緊迫部５で左右の手の後方への振りを大きくできることと併せて、歩行時の脚の動きを大きくすることでき、歩行による健康増進に寄与できる。
【０１４９】
前記第２実施形態の第一〜第七緊迫部を当て布を縫着して形成しているが、前記第１実施形態の第５変形例に記載のように、弾性樹脂を塗布して形成しても良いし、第６変形例に規制のように、編み方を変えて形成してもよい。
【０１５０】
また、本第２実施形態の上下繋ぎ衣類では、第１実施形態のアンダーシャツよりは、本体部の第１伸縮素材の伸びを小さくし、かつ、第一〜第七緊迫部の第２伸縮素材の伸びをさらに小さくし、歩行時や運動時に好適に着用できるレオタードとしてもよい。
【０１５１】
また、ボトム部１２の下端は膝下まで延在させてもよい。
【０１５２】
図５（Ａ）（Ｂ）に第２実施形態の変形例を示す。
【０１５３】
図５（Ａ）に示す第１変形例では、股部に開閉部１８を設け、ホック１８ａを取り付けて開閉自在とし、排尿、排便を容易としている。
【０１５４】
図５（Ｂ）に示す第２変形例では、トップ部１１とボトム部１２とを分離し、トップ部１１の下側部とボトム部１２の上端に設けたボタン１９ａとボタン穴１９ｂとで着脱自在に連結している。
【０１５５】
このように、トップ部１１とボタン１２とを任意に連結、分離できるようにすれば、着用者はいずれか一方のみを着用でき、利便性を高めることができる。
【０１５６】
図６に、第３実施形態の衣類を示す。
【０１５７】
第３実施形態は前記図５（Ｂ）に示す分離タイプと同様であるが、トップ側とボトム側とに連結手段を設けていない。
【０１５８】
トップ衣類６０はトップ部１１と同様な構成であり、ボトム衣類６１はボトム部１２と同様な構成であるが、前記第三緊迫部１３はトップ側と分離し、その上端のウエストラインＷＬに沿った位置にはゴムバンド６３を収容している。
【０１５９】
他の構成および作用効果は第２実施形態と同一符号を付して説明を省略する。
【０１６０】
「実験例」
前記第３実施形態のトップ側衣類６０とボトム側衣類６１（以下、本発明衣類と略称する）を被験者が着用した場合と、未着用の場合とに分けて、それぞれ、被験者の心拍数、呼吸数、モーションキャプチャーの測定を行った。
【０１６１】
呼吸数およびモーションキャプチャーの測定では、被験者は運動機能の異常を有しない年齢３０歳代、４０歳代、５０歳代の男性３人とした。測定時の気温は２５℃、湿度は６０％であった。
【０１６２】
呼吸数の測定はインターリハ（株）製の呼気ガス分析機を用いて換気諸量を測定した。モーションキャプチャーの測定は、バイコン（ＶＩＣＯＮ）社製のＭＸ−Ｆ光学式三次元動作解析システムを用い、被験者および被験者が着用した本発明衣類には、図７に示す各位置１〜３５にマーカーを付した。マーカーの位置１〜３５はそれぞれ以下のとおりである。
１：左前頭部、２：右前頭部、３：左後頭部、４：右後頭部、５：第７頸椎棘突起、６：第１０胸椎棘突起、７：左右胸鎖関節中点、８：剣状突起、９：右背部、
１０：左肩鎖関節、１１：左上腕骨外側上顆、１２：左手首前部、１３：左手首後部、１４：左指先、
１５：右肩鎖関節、１６：右上腕骨外側上顆、１７：右手首前部、１８：右手首後部、１９：右指先、
２０：左上前腸骨棘（ＡＳＩＳ）、２１：右ＡＳＩＳ、２２：左上後腸骨棘（ＰＳＩＳ）、２３：右ＰＳＩＳ、
２４：左大腿部、２５：左大腿外側上顆、２６：左下腿部、２７：左足首、２８：左足踵、２９：左第２中足骨頭、
３０：右大腿部、３１：右大腿外側上顆、３２：右下腿部、３３：右足首、３４：右足踵、３５：右第２中足骨頭。
【０１６３】
次にプログラムで運動中に前記３種の測定を行った。座ったままで安静にしている状態（以後、着座安静姿勢）で３分経過後に、立ったままで安静にしている状態（以後、立位安静姿勢）で５分間維持した。その後、図８の写真に示すように、自動歩行機（Ｚｅｂｉｒｓ社製  ＥＤＭ−Ｔトレッドミルシステム）上で歩行実験した。歩行実験は、時速１ｋｍ、３ｋｍ、７ｋｍの速度でそれぞれ３分間継続した。最後に立位安静姿勢を５分間継続した。
【０１６４】
前記実験における歩行後の最後の立位安静姿勢を図９に示す。図９（Ａ）は第３実施形態のトップ衣類６０とボトム衣類６１との着用時の立位姿勢を示し、図９（Ｂ）は未着方時の立位安静姿勢を示す。
【０１６５】
図９（Ａ）の本発明衣類の着用時では、左右肩甲骨が互いに近接する方向に内転して左右の肩が後方へと誘導され、胸郭が開いている。かつ、頭部が脊柱の沿直線上に保たれ、て、体幹が伸展している。
【０１６６】
一方、図９（Ｂ）の未着用時には、図９（Ａ）の着用時と比較して、猫背気味となって、胸郭が狭まり、頭部が脊柱の沿直線上に保たれておらず、体幹が伸展していない。
【０１６７】
図１０（Ａ）（Ｂ）（Ｃ）に、バイコンの三次元動作解析データを示す。図１０（Ａ）（Ｂ）（Ｃ）中の３点はいずれも、右側からＲ：右肩、Ｃ：左右胸鎖関節中点、Ｌ：左肩  の位置を示す。
【０１６８】
図１０（Ａ）（Ｂ）に示すように、左右胸鎖関節中心点から両肩の角度θを、Ｘ−Ｙ座標面における３点の座標位置から算出した。
【０１６９】
図１０（Ｃ）のグラフの横軸は腰重心からのＸ軸（左右）方向の平均位置[ｍｍ]、縦軸は骨盤重心からのＹ軸（前後）方向の平均位置[ｍｍ]である。ラインＡは本発明衣類の着用時、ラインＢは未着用時の背面側の角度θを示し、角度が狭くなると胸郭が拡がり左右肩甲骨が内転していることを示す。
【０１７０】
図１０（Ｃ）に示すように、本発明衣類の着用時のラインＡの角度は、未着用時のラインＢの角度θよりも狭くなっていた。
【０１７１】
これにより、本発明品衣類の第１実施形態のアンダーシャツからなるトップ側衣類を着用することで、胸郭が拡がり、背筋が真っすぐとなって、体幹がまっすぐに伸びることが確認できた。
【０１７２】
さらに、バイコンの三次元動作解析データで、歩行時における重心位置の変化を算出した。
【０１７３】
図１１（Ａ）（Ｂ）（Ｃ）に、時速１ｋｍ、３ｋｍ、７ｋｍの歩行時、自動歩行機のベルト３〜４周の歩行周期分の重心位置の時間変化のデータを示す。グラフの縦軸はいずれも床面からの重心（Ｚ軸）の位置[ｍｍ]である。ラインＡは本発明衣類の着用時、ラインＢは未着用時である。
【０１７４】
歩行時では、いずれもラインＡの着用時が未着用時より重心位置が高くなっていることが確認できた。かつ、ラインＡはラインＢより上下位置の変動が比較的少なく、歩行時に上下動のばらつきが減少する傾向があった。これにより、身体にブレを発生させずに歩行できることが確認できた。
【０１７５】
図１２に、本発明衣類の着用時において、歩行速度変化による呼吸数の変化を呼気ガスで測定したデータを示す。
【０１７６】
３分以上の着座安静姿勢、３分間の立位安静姿勢、時速１ｋｍで３分間歩行、時速３ｋｍで３分間歩行、時速７ｋｍで３分間歩行、最後に３分間の立位安静姿勢を順次行い、その間のデータを測定した。
【０１７７】
図１２において、経過時間（分）を横軸に、呼吸数（回／分）を左側縦軸、運動の強さ（ｋｍ／ｈｒ）を右側縦軸にして、被験者１人分の結果を示す。
【０１７８】
図１２中、ラインＣは未着用時の呼吸数の変化、ラインＤは本発明衣類の着用時の呼吸数の変化、ラインＥは歩行運動の強さを示す。
【０１７９】
それぞれ、運動開始後から、３０秒から２分間の測定呼吸数の平均値を示している。
【０１８０】
図１２に示す着用時と未着用時において、前記呼気ガス分析機を用いて測定した換気諸量を下記の表１に示す。
【０１８１】
【表１】
2010050540.tif 000003
【０１８２】
ｐｒｅはトレッドミル上で歩行試験前の５分間の立位安静姿勢時を、ｐｏｓｔはトレッドミル上で歩行試験後の５分間の立位安静姿勢時を表す。
【０１８３】
図１３に３人の被験者の呼吸数の変化の平均データを示す。Ａは着用時、Ｂは未着用時である。図１３の結果を表にしたものを表２に示す。
【０１８４】
【表２】
2010050540.tif 000004
【０１８５】
前記図１２、１３および表１、２に示すように、本発明衣類の装着時は未着用時と比較して歩行時における呼吸数は低減していた。この結果から、第１実施形態のアンダーシャツからなるトップ側衣類を着用することで、胸郭が拡がり、背筋が真っすぐとなって、体幹がまっすぐに伸びることが確認できた。
【０１８６】
心拍数の測定は、健康な成人男性６人（３１〜５１歳で平均３９歳）を被験者とした。      
【０１８７】
心拍数の測定は、ポーラー社（ｐｏｌａｒ社）製の心拍計ＲＳ８００ｓｄを用いた。
【０１８８】
また、被験者は前記心拍計を着用させて、前記したトレッドミル上で歩行させた。測定時の気温は２５℃、湿度は６０％であった。
【０１８９】
心拍数の測定は、着座安静姿勢で３分経過後に、前記呼吸数の測定の場合と同様に、立位安静姿勢５分間維持し、自動歩行機（Ｚｅｂｉｒｓ社製  ＥＤＭ−Ｔトレッドミルシステム）上で歩行実験した。歩行実験は、時速１ｋｍ、３ｋｍ、７ｋｍの速度でそれぞれ３間分継続した。最後に立位安静姿勢を５分間継続した。
【０１９０】
測定された心拍数より、１分間ずつサンプリングし、心拍数のゆらぎの解析をＧＭＳ社のＭｅｍｃａｌｅを用いて行った。
【０１９１】
該心拍ゆらぎの解析は次のように行った。図１４に示すように、一拍ごとの心拍の時間間隔（ＲＲ間隔）ごとに積み並べて（図１４の＊１の処理）、積み並べた棒状グラフを波形のデータに変換し（図１４の＊２の処理）、この波形を正弦波に分解した。なお、図１４中のＲは心拍をうった時点を示す。正弦波の周波数のうち、特定の成分に注目し、０．０４〜０．１５ＨｚをＨＦとし、ＨＦを副交感神経の指標、ＬＦ（ＬＦ／ＨＦ）を交感神経の指標とした。
【０１９２】
図１５に全被験者の心拍数平均と運動強度の時間経過による変化を示す。横軸は時間経過（分）、左側の縦軸は心拍数（拍／分）、右側の縦軸は運動強度（ｋｍ／ｈｒ）である。ラインＡは着用時、ラインＢは未着用時である。
【０１９３】
図１６（Ａ）〜（Ｆ）に、被験者１〜６の心拍数を示す。各グラフは（Ａ）運動前の立位安静姿勢時、（Ｂ）時速１ｋｍで歩行時、（Ｃ）時速３ｋｍで歩行時、（Ｄ）時速７ｋｍで歩行時、（Ｅ）運動後３分経過時点での立位安静姿勢時、（Ｅ）運動後５分経過時点での立位安静姿勢時  のグラフである。各グラフの縦軸は心拍数（拍／分）である。ラインＨ１〜Ｈ６が被験者１〜６の各データである。各グラフ中の右側が本発明衣類の着用時のデータ、左側が本発明衣類の未着用時のデータである。
【０１９４】
図１７に被験者１の詳細データを示す。被験者２〜６についても同様な詳細データを採取に各データに基づいて図１５の平均データを得た。
【０１９５】
図１７中において、三角点を結ぶラインはＬＦ、四角点を結ぶラインはＨＦ、菱形点を結ぶラインはＬＦ／ＨＦを示す。前記ＬＦ、ＨＦ、ＬＦ／ＨＦのラインから交感神経、副交感神経の活動の分析を行った。
【０１９６】
前記図１５〜１７の心拍数データに示すように、着座安静姿勢時、立位安静姿勢時の領域Ｚ１の安静姿勢時のいずれにおいても、本発明衣類の着用時に未着用時と比較して、心拍数は減少していた。
【０１９７】
歩行開始から６分経過までの領域Ｚ２においては、立位安静姿勢時の領域Ｚ１とほとんど変化がなく、本発明衣類の着用時は未着用時と比較して心拍数は減少していた。
【０１９８】
歩行開始後６分から１０分の領域Ｚ３では着用時と未着用時とで明らかな差が生じ、着用時では減少した。
【０１９９】
歩行後の立位安静姿勢時の領域Ｚ４では心拍数の変化はほとんどなく、かつ、本発明衣類の着用時は未着用時と比較して心拍数は減少していた。
【０２００】
このように、着座安静姿勢時、立位安静姿勢時、時速１ｋｍ，３ｋｍ、７ｋｍの歩行時、歩行後の立位安静姿勢の回復期のいずれにおいても心拍数が低減する傾向になることが確認できた。
【０２０１】
図１７に示す心拍数の揺らぎを示すデータＬＦ、ＨＦ、ＬＦ／ＨＦより、前記領域Ｚ３では本発明衣類の着用時と未着用時とでは活動差が明確に現れ、着用時には交感神経活動が増加し、副交感神経活動は継続していた。
【０２０２】
かつ、時速７ｋｍ歩行で心拍数が大きく減少した一部の被験者は、副交感神経活動は減少せず、より安静状態に近い形で歩行が行えている可能性が示唆している。
【０２０３】
また、一部の被験者は本発明衣類の着用時に、心拍のＲＲ間隔幅が増加し、呼吸が深く行えていたことを示唆している。
【０２０４】
歩幅、歩行速度については、動作解析装置を用いて測定した。
・測定装置：Motion Analysis社製「MAC3D System」
・被験者：健康な２０代から５０代の男性５人
・実験方法：
じゅうたん上８ｍの歩行路を往復し、歩きはじめの影響を避け定常歩行状態の測定ができるように、歩行開始から３分後にデータ取得をした。
・解析方法
全身の関節等３５か所の動きのデータを取得した中で、姿勢に関して重要な胸の開き具合と、歩行動作に関して重要な踵（かかと）の移動距離について解析した。
【０２０５】
・実験結果
一方の踵の動きに注目することで、周期的な歩行動作の１周期分の移動距離と移動速度について測定できる。片方の踵の動きに着目すると、床面に着地し床面を蹴り、床面から離れ次の着地まで移動する。この着地から着地までの移動距離が、「歩行の１周期分の移動距離」で「日常語の一歩」すなわち「歩幅」のほぼ２倍になる。また、「着地」から次の「着地」までの時間が「歩行の１周期分の時間」になるので、これらから「歩行の速度」が算出できる。
【０２０６】
ほぼすべての被検者で、本発明のウェア着装により歩幅の拡がりが見られた。拡がりは最大１１ｃｍにも及んだ。また、歩行速度も概ね増加している。
【０２０７】
【表３】
2010050540.tif 000005
【０２０８】
【表４】
2010050540.tif 000006
【０２０９】
前記した実験データより、本発明衣類を着用した場合、呼吸数および心拍数の低減および心拍数の揺らぎを減少でき、また歩幅や歩行速度が増加する。この作用は、特に、第一緊迫部を設けて胸郭を開くように誘導することにより、呼吸数および心拍数を低減できていると認められる。また、胸郭を開くことにより、背筋が伸び、歩行時の重心が上方に移動し、股関節から、足をしっかりと可動させることができ、歩幅および歩行速度を増加できていると認められる。なお、本発明の衣類は、トップ側がアンダーシャツ、ボトム側がパンツの日常的に着用する下着として好適に用いられるが、アンダーウエアに限定されず、アウターとしてもよい。例えば、歩行時や他の運動時に着用する運動用アウター、歩行訓練時のリハビリ用アウター等としても好適に用いられる。
【符号の説明】
【０２１０】
１  アンダーシャツ
２  前身頃部
３  後身頃部
４  袖部
５  第一緊迫部
６  第二緊迫部
１１  トップ部
１２  ボトム部
１３  第三緊迫部
１４  第四緊迫部
１５  第五緊迫部
１６  第六緊迫部
１７  第七緊迫部
２０、３０、４０  第１伸縮素材からなる本体部
５０  当て布
６０  トップ衣類
６１  ボトム衣類
６３  ゴムバンド
【図１】
2010050540.tif 000007
【図２】
2010050540.tif 000008
【図３】
2010050540.tif 000009
【図４】
2010050540.tif 000010
【図５】
2010050540.tif 000011
【図６】
2010050540.tif 000012
【図７】
2010050540.tif 000013
【図１１】
2010050540.tif 000014
【図１２】
2010050540.tif 000015
【図１３】
2010050540.tif 000016
【図１４】
2010050540.tif 000017
【図１５】
2010050540.tif 000018
【図１６】
2010050540.tif 000019
【図１７】
2010050540.tif 000020
【図１８】
2010050540.tif 000021
【図１９】
2010050540.tif 000022
【図８】
2010050540.tif 000023
【図９】
2010050540.tif 000024
【図１０】
2010050540.tif 000025
【国際調査報告】
2010050540.tif 000026
2010050540.tif 000027
2010050540.tif 000028
2010050540.tif 000029
2010050540.tif 000030
2010050540.tif 000031
2010050540.tif 000032